(57)【特許請求の範囲】
【請求項１】
ケーブル導体（１１）を接続した導体接続管（１３）の外周にエポキシユニット（１４）を配置し、ケーブル絶縁体（１２）とエポキシユニット（１４）の間にゴムモールドストレスコーン（１６）が所定の押圧力で挿着されたＣＶケーブル用プレハブ形接続部において、
ケーブル外部半導電層の端部を、大径の第１テーパ部分（１２ａ1 ），平滑部分（１２ａ2 ），小径の第２テーパ部分（１２ａ3 ）に、機械削りによって順次削り形成して中央に所定長の前記平滑部分（１２ａ2 ）を設けた２段階削りに形成し、該平滑部分（１２ａ2 ）の位置に前記ゴムモールドストレスコーン（１６）の後端が位置するよう前記ゴムモールドストレスコーン（１６）が挿着されて成ることを特徴とするＣＶケーブル用プレハブ形接続部
【発明の詳細な説明】
【０００１】
【発明の属する技術分野】
本発明はＣＶケーブルの終端接続及び中間接続に適用されるＣＶケーブル用プレハブ形接続部に関し、特に、ケーブル外部半導電層端部形状を工夫してケーブル絶縁体とゴムモールドストレスコーンとの密着性の向上を図ったものである。
【０００２】
【従来の技術】
プレハブ形接続部は、予め工場で製作したゴムモールドストレスコーンとエポキシユニット及び押圧装置が構成され、ゴムモールドストレスコーンをケーブル絶縁体上に挿入し、エポキシユニット及びケーブル絶縁体に押圧装置で押しつけて接続部を形成するものである。
【０００３】
このようにプレハブ形接続部は、それぞれユニット化された部品を組み立てることによって構成することができるので、作業時間の短縮を図れるメリットがある。
【０００４】
また、プレハブ形接続部は、ゴムモールドストレスコーンをエポキシユニットおよびＣＶケーブル絶縁体に対して圧着させることにより絶縁を保持するように構成されているため、ゴムモールドストレスコーンとエポキシユニットおよびＣＶケーブル絶縁体との界面の密着性が接続部の性能に大きく影響する。
【０００５】
【発明が解決しようとする課題】
上記のプレハブ形接続部における実状から、従来ゴムモールドストレスコーンを挿着するケーブル絶縁体の外部半導電層（以下ケーブル外導と称す）の先端部には、図３に示すように、新たにモールド用半導電テープを用いてケーブル外導を形成し、ゴムモールドストレスコーン１６がこのモールドテープ層１２ｂのフラット部分に乗るように挿着されていた。しかし、モールド用テープによるモールド処理には時間を要し、時間短縮を図ることが強く要望されていた。
【０００６】
また、図４に示すように、ケーブル外導端部をテーパ状に削り、そのテーパ状部分を介してケーブル外導上にゴムモールドストレスコーン端１６ａが乗るように挿入していた。
【０００７】
ゴムモールドストレスコーンは一般にケーブル絶縁体の外径に対してその内径を小さく製造されている。
【０００８】
そのため接続現場組み立て時にシリコーン油をケーブル絶縁体表面およびゴムモールドストレスコーン内表面に塗布して、ゴムモールドストレスコーンをケーブルに挿入し易くしている。
【０００９】
このシリコーン油は挿入とともに殆どのものは外に排出されるが、図５に示すように、ゴムモールドストレスコーン１６とケーブル絶縁体１２との界面のギャップにシリコーン油だまり２１ができる。
【００１０】
この油だまりは、絶縁性能の低下、特に初期絶縁性能のバラツキの要因となるもので、改善が要望されていた。
【００１１】
本発明は、このような実情に鑑みてなされたもので、ケーブル外導端の形状によって油だまりを低減し、長期的に安定した絶縁性能を発揮するＣＶケーブル用プレハブ形接続部を提供することを目的とする。
【００１２】
【課題を解決するための手段】
前述のごとき問題に鑑みて、本発明は、ケーブル導体を接続した導体接続管の外周にエポキシユニットを配置し、ケーブル絶縁体とエポキシユニットの間にゴムモールドストレスコーンが所定の押圧力で挿着されたＣＶケーブル用プレハブ形接続部において、ケーブル外部半導電層の端部を、大径の第１テーパ部分，平滑部分，小径の第２テーパ部分に、機械削りによって順次削り形成して中央に所定長の前記平滑部分を設けた２段階削りに形成し、該平滑部分の位置に前記ゴムモールドストレスコーンの後端が位置するよう前記ゴムモールドストレスコーンが挿着されて成ることを特徴とするものである。
【００１３】
上記の形状のケーブル外導端にすることにより、プレハブ接続部組み立て時のシリコーン油をケーブル絶縁体およびストレスコーン内表面に塗布してストレスコーンをケーブル絶縁体に挿入しても、ストレスコーンとケーブル外導端およびケーブル絶縁体との界面に形成される油だまりを低減することができる。
【００１４】
【発明の実施の形態】
以下、本発明のＣＶケーブル用プレハブ形接続部を図面に基づき詳細に説明する。
【００１５】
図８は本発明が適用されるＣＶケーブルの中間接続部を示す。図においてＣＶケーブル１０の絶縁体１２を所定長剥離し、導体１１を露出させ、相手方のケーブル導体１１と導体接続管（圧縮スリーブ）１３によって接続される。この導体接続部の中央部に対応させて内部遮蔽金具１５を埋め込んだエポキシユニット１４を、導体接続部を包囲するように配置し、前記内部遮蔽金具１５の内面を導体接続管１３の外周中央部に固定させるようにしている。また、前記エポキシユニット１４の両側のテーパ部には、ケーブル絶縁体１２上に挿入されているゴムモールドストレスコーン１６を当接させ、さらに、押し金具１７とスプリングユニット１８によってエポキシユニット１４に押し付けられ、ゴムモールドストレスコーン１６とエポキシユニット１４との界面、あるいはゴムモールドストレスコーン１６とケーブル絶縁体１２との界面で一定以上の面圧を受けて絶縁特性が得られるよう構成されている。
【００１６】
なお、１９は中間接続箱本体ケースを示す。
【００１７】
本発明の特徴とするころは上記プレハブ型接続部において、ケーブル外導端部の形状を図１に示す如くにしたことにある。図１の実施例においては、ケーブル外導１２ａの第１のテーパ部分１２ａ1 の厚さ１．０ｍｍ、平滑部分１２ａ2 の長さ２０ｍｍ、第２のテーパ部分１２ａ3 の厚さ１．０ｍｍ以下に削り形成したものである。この２段階削りは自動外導削り機による機械削りを適用できる。
【００１８】
上記のケーブル外導形状として、図６に示すように、現場組み立て時にシリコーン油２０をケーブル絶縁体１２表面およびゴムモールドストレスコーン１６の内外表面に塗布し、ゴムモールドストレスコーン１６をケーブルに挿入する。
【００１９】
ゴムモールドストレスコーン１６の内径Ｄはもともとケーブル絶縁体外径Ｄ0 に対して小さく製造されているので、上記のストレスコーン挿入とともに殆どのシリコーン油は外に排出されるが、ストレスコーン１６とケーブル絶縁体１２との界面に微量のシリコーン油２０が巻き込まれる。界面に面圧が加わり、図７に模擬的に表すように、上記微量のシリコーン油がストレスコーン１６の内面とケーブル外導１２ａ端との隙間に集積し、シリコーン油だまり２１を形成する。
【００２０】
本発明のケーブル外導端の形状は上述したように２段階削りで端部中央に平滑部を設けてあるので、ゴムモールドストレスコーン後端をこの平滑部の位置に挿着すれば、ストレスコーンとケーブル絶縁体との隙間を小さくでき、シリコーン油だまり容量を低減することになる。その結果、シリコーン油だまりを低減することができる。
【００２１】
【発明の効果】
以上説明した通り、本発明のＣＶケーブル用プレハブ形接続部によると、ケーブル外導端の形状を２段階削りで端部中央に平滑部を設けてあるので、ゴムモールドストレスコーン後端をこの平滑部の位置となるようにストレスコーンを挿着すれば、ケーブル外導端付近の界面隙間を小さくでき、シリコーン油だまりを低減できる。
【００２２】
また、上記ケーブル外導端の形状は自動外導削り機が適用できるので正確に能率的に形成できる。
【００２３】
さらに、ケーブル外導端先に新らたにモールド用半導電テープを巻いてモールドする必要がないので、接続部形成時間の大巾な短縮を図ることができる。
【図面の簡単な説明】
【図１】本発明のＣＶケーブル用プレハブ形接続部に係わるケーブル絶縁体にゴムモールドストレスコーンを挿着した状態説明図である。
【図２】図１のケーブル外導端付近の界面を拡大して示す説明図である。
【図３】従来のケーブル絶縁体にゴムモールドストレスコーンを挿着した状態を示す説明図である。
【図４】従来の他の方法によるケーブル絶縁体にゴムモールドストレスコーンを挿着した状態を示す説明図である。
【図５】図４のケーブル外導端付近の界面を拡大して示す説明図である。
【図６】ゴムモールドストレスコーンをケーブルに挿入する状態を示す説明図である。
【図７】ゴムモールドストレスコーンとケーブル絶縁体との界面にシリコーン油だまが形成されることを模擬的に示す説明図である。
【図８】ＣＶケーブル用プレハブ形中間接続部の縦断面図である。
【符号の説明】
１０  ケーブル
１１  ケーブル導体
１２  ケーブル絶縁体
１２ａ  ケーブル外導
１４  エポキシユニット
１６  ゴムモールドストレスコーン
２０  シリコーン油
２１  シリコーン油だまり
【図１】
0004044180.tif 000002
【図２】
0004044180.tif 000003
【図３】
0004044180.tif 000004
【図４】
0004044180.tif 000005
【図５】
0004044180.tif 000006
【図６】
0004044180.tif 000007
【図７】
0004044180.tif 000008
【図８】
0004044180.tif 000009